【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
発展型ノードＢ（ｅＮＢ）のワイヤレス通信の方法であって、
少なくとも１つのユーザ機器（ＵＥ）に、
前記少なくとも１つのＵＥによって受信されたダウンリンク（ＤＬ）送信についての前記少なくとも１つのＵＥによる肯定応答（ＡＣＫ）／否定応答（ＮＡＣＫ）の送信に使用されることになる１つまたは複数のサブフレームの第１の構成、または、
前記少なくとも１つのＵＥによって送られたアップリンク（ＵＬ）送信についての前記少なくとも１つのＵＥによるＡＣＫ／ＮＡＣＫの受信に使用されることになる１つまたは複数のサブフレームの第２の構成、
のうちの少なくとも１つにおける変更を通知することと、
ここにおいて、前記ＤＬ−ＵＬ送信構成は不変であり、
ここにおいて、前記通知することは、無線リソース制御（ＲＲＣ）構成メッセージを介するものである、
前記少なくとも１つのＵＥが前記受信されたＤＬ送信についての前記ＡＣＫ／ＮＡＣＫを送信することになるか、または送られたＵＬ送信についての前記ＡＣＫ／ＮＡＣＫを受信することになる１つまたは複数のサブフレームを前記少なくとも１つのＵＥに示すことと
を備える、方法。
【請求項２】
ＡＣＫ／ＮＡＣＫの送信を遅延させるための遅延期間を前記少なくとも１つのＵＥに送ることをさらに備える、
請求項１に記載の方法。
【請求項３】
前記遅延期間は、各ＡＣＫ／ＮＡＣＫに固有である、
請求項２に記載の方法。
【請求項４】
第１のサブフレームにおいて第１の送信を前記少なくとも１つのＵＥに送ることと、
前記第１のサブフレームの後の第２のサブフレームにおいて第２の送信を前記少なくとも１つのＵＥに送ることと
をさらに備え、
前記遅延期間に基づいて前記第１のサブフレームから遅延した第３のサブフレームにおいて、前記第１の送信への第１のＡＣＫ／ＮＡＣＫと前記第２の送信への第２のＡＣＫ／ＮＡＣＫとを前記少なくとも１つのＵＥから同時に受信すること、
前記遅延期間に基づいて前記第１のサブフレームから遅延した第３のサブフレームにおいて、前記第１の送信への第１のＡＣＫ／ＮＡＣＫを前記少なくとも１つのＵＥから受信すること、および前記遅延期間に基づいて前記第２のサブフレームから遅延した第４のサブフレームにおいて、前記第２の送信への第２のＡＣＫ／ＮＡＣＫを前記少なくとも１つのＵＥから受信すること、
前記遅延期間に基づいて前記第１のサブフレームから遅延した第３のサブフレームにおいて、前記第１の送信と前記第２の送信の両方についての組み合されたＡＣＫ／ＮＡＣＫを前記少なくとも１つのＵＥから受信すること
のうちの１つをさらに備える、請求項２に記載の方法。
【請求項５】
第１のサブフレームにおいて第１の送信を前記少なくとも１つのＵＥから受信することと、
前記第１のサブフレームの後の第２のサブフレームにおいて第２の送信を前記少なくとも１つのＵＥから受信することと
をさらに備え、
前記遅延期間に基づいて前記第１のサブフレームから遅延した第３のサブフレームにおいて、前記受信された第１の送信への第１のＡＣＫ／ＮＡＣＫと前記受信された第２の送信への第２のＡＣＫ／ＮＡＣＫとを前記少なくとも１つのＵＥに同時に送ること、
前記遅延期間に基づいて前記第１のサブフレームから遅延した第３のサブフレームにおいて、前記第１の送信への第１のＡＣＫ／ＮＡＣＫを前記少なくとも１つのＵＥに送ること、および前記遅延期間に基づいて前記第２のサブフレームから遅延した第４のサブフレームにおいて、前記第２の送信への第２のＡＣＫ／ＮＡＣＫを前記少なくとも１つのＵＥに送ること、
前記遅延期間に基づいて前記第１のサブフレームから遅延した第３のサブフレームにおいて、前記第１の送信と前記第２の送信の両方についての組み合されたＡＣＫ／ＮＡＣＫを前記少なくとも１つのＵＥに送ること
のうちの１つをさらに備える、請求項２に記載の方法。
【請求項６】
前記少なくとも１つのＵＥによって確認応答されることになる、前記受信されたＤＬ送信のうちの１つまたは複数を前記少なくとも１つのＵＥに示すことをさらに備え、前記少なくとも１つのＵＥによって確認応答されることになる、前記受信されたＤＬ送信のうちの前記１つまたは複数の前記インジケーションは、前記受信されたＤＬ送信のサブセットのみについての前記ＡＣＫ／ＮＡＣＫを送るように前記少なくとも１つのＵＥを構成するために使用される、
請求項１に記載の方法。
【請求項７】
ｅＮＢによって確認応答されることになる、前記少なくとも１つのＵＥによる前記送信されたＵＬ送信のうちの１つまたは複数を前記少なくとも１つのＵＥに示すことをさらに備え、前記ｅＮＢによって確認応答されることになる、前記送信されたＵＬ送信のうちの前記１つまたは複数の前記インジケーションは、前記送信されたＵＬ送信のサブセットのみについての前記ＡＣＫ／ＮＡＣＫを受信するように前記少なくとも１つのＵＥを構成するために使用される、
請求項１に記載の方法。
【請求項８】
前記インジケーションは、前記受信されたＤＬ送信についての前記ＡＣＫ／ＮＡＣＫを送信するときに前記少なくとも１つのＵＥによって使用されることになるサブフレームの第１のセットまたは前記送られたＵＬ送信についての前記ＡＣＫ／ＮＡＣＫを受信するときに前記少なくとも１つのＵＥによって使用されることになるサブフレームの第２のセットのうちの少なくとも１つを備える、
請求項１に記載の方法。
【請求項９】
サブフレームの前記第１のセットまたはサブフレームの前記第２のセットの前記インジケーションは明示的なインジケーションである、
請求項８に記載の方法。
【請求項１０】
サブフレームの前記第１のセットまたはサブフレームの前記第２のセットの前記インジケーションは暗黙的なインジケーションである、
請求項８に記載の方法。
【請求項１１】
サブフレームの前記第１のセットについての前記暗黙的なインジケーションは、前記少なくとも１つのＵＥの識別情報、ＤＬ送信のサブフレームのインデックス、および前記受信されたＤＬ送信についての前記ＡＣＫ／ＮＡＣＫの送信に関連する遅延のうちの少なくとも１つの関数に基づく、および／または
サブフレームの前記第２のセットについての前記暗黙的なインジケーションは、前記少なくとも１つのＵＥの識別情報、ＵＬ送信のサブフレームのインデックス、および前記送信されたＵＬ送信についての前記ＡＣＫ／ＮＡＣＫの送信に関連する遅延のうちの少なくとも１つの関数に基づく、
請求項１０に記載の方法。
【請求項１２】
ユーザ機器（ＵＥ）のワイヤレス通信の方法であって、
前記ＵＥによって受信されたダウンリンク（ＤＬ）送信についての肯定応答（ＡＣＫ）／否定応答（ＮＡＣＫ）の送信に使用されることになる１つまたは複数のサブフレームの第１の構成、または、
前記ＵＥによって送られたアップリンク（ＵＬ）送信についてのＡＣＫ／ＮＡＣＫの受信に使用されることになる１つまたは複数のサブフレームの第２の構成、
のうちの少なくとも１つにおける変更の情報を発展型ノードＢ（ｅＮＢ）から受信することと、
ここにおいて、前記ＤＬ−ＵＬ送信構成は不変であり、
ここにおいて、前記受信することは、無線リソース制御（ＲＲＣ）構成メッセージを介するものである、
前記受信されたＤＬ送信についての前記ＡＣＫ／ＮＡＣＫが送信されることになるか、または送られたＵＬ送信についての前記ＡＣＫ／ＮＡＣＫが受信されることになる１つまたは複数のサブフレームを備えるインジケーションを受信することと
を備える方法。
【請求項１３】
ＡＣＫ／ＮＡＣＫの送信を遅延させるための遅延期間を受信することをさらに備える、
請求項１２に記載の方法。
【請求項１４】
前記遅延期間は、各ＡＣＫ／ＮＡＣＫに固有である、
請求項１３に記載の方法。
【請求項１５】
第１のサブフレームにおいて第１の送信を前記ｅＮＢから受信することと、
前記第１のサブフレームの後の第２のサブフレームにおいて第２の送信を前記ｅＮＢから受信することと
をさらに備え、
前記遅延期間に基づいて前記第１のサブフレームから遅延した第３のサブフレームにおいて、前記第１の送信への第１のＡＣＫ／ＮＡＣＫと前記第２の送信への第２のＡＣＫ／ＮＡＣＫとを同時に前記ｅＮＢに送ること、
前記遅延期間に基づいて前記第１のサブフレームから遅延した第３のサブフレームにおいて、前記第１の送信への第１のＡＣＫ／ＮＡＣＫを前記ｅＮＢに送ること、および前記遅延期間に基づいて前記第２のサブフレームから遅延した第４のサブフレームにおいて、前記第２の送信への第２のＡＣＫ／ＮＡＣＫを前記ｅＮＢに送ること、
前記遅延期間に基づいて前記第１のサブフレームから遅延した第３のサブフレームにおいて、前記第１の送信と前記第２の送信の両方についての組み合されたＡＣＫ／ＮＡＣＫを前記ｅＮＢに送ること
のうちの１つをさらに備える、請求項１３に記載の方法。
【請求項１６】
第１のサブフレームにおいて第１の送信を前記ｅＮＢに送ることと、
前記第１のサブフレームの後の第２のサブフレームにおいて第２の送信を前記ｅＮＢに送ることと
をさらに備え、
前記遅延期間に基づいて前記第１のサブフレームから遅延した第３のサブフレームにおいて、前記送られた第１の送信への第１のＡＣＫ／ＮＡＣＫと前記送られた第２の送信への第２のＡＣＫ／ＮＡＣＫとを前記ｅＮＢから同時に受信すること、
前記遅延期間に基づいて前記第１のサブフレームから遅延した第３のサブフレームにおいて、前記第１の送信への第１のＡＣＫ／ＮＡＣＫを前記ｅＮＢから受信すること、および前記遅延期間に基づいて前記第２のサブフレームから遅延した第４のサブフレームにおいて、前記第２の送信への第２のＡＣＫ／ＮＡＣＫを前記ｅＮＢから受信すること、
前記遅延期間に基づいて前記第１のサブフレームから遅延した第３のサブフレームにおいて、前記第１の送信と前記第２の送信の両方についての組み合されたＡＣＫ／ＮＡＣＫを前記ｅＮＢから受信すること
のうちの１つをさらに備える、請求項１３に記載の方法。
【請求項１７】
確認応答されることになる、前記受信されたＤＬ送信のうちの１つまたは複数のインジケーションを受信することをさらに備え、確認応答されることになる、前記受信されたＤＬ送信のうちの前記１つまたは複数の前記インジケーションに基づいて、前記受信されたＤＬ送信のサブセットのみについての前記ＡＣＫ／ＮＡＣＫを送ることをさらに備える、
請求項１２に記載の方法。
【請求項１８】
ｅＮＢによって確認応答されることになる、前記少なくとも１つのＵＥによる前記送信されたＵＬ送信のうちの１つまたは複数のインジケーションを受信することをさらに備え、前記ｅＮＢによって確認応答されることになる、前記送信されたＵＬ送信のうちの前記１つまたは複数の前記インジケーションは、前記送信されたＵＬ送信のサブセットのみについての前記ＡＣＫ／ＮＡＣＫを受信するように前記少なくとも１つのＵＥを構成するために使用される、
請求項１２に記載の方法。
【請求項１９】
前記インジケーションは、前記受信されたＤＬ送信についての前記ＡＣＫ／ＮＡＣＫを送信するときに使用されることになるサブフレームの第１のセットまたは前記送られたＵＬ送信についての前記ＡＣＫ／ＮＡＣＫを受信するときに使用されることになるサブフレームの第２のセットのうちの少なくとも１つを備える、
請求項１２に記載の方法。
【請求項２０】
サブフレームの前記第１のセットまたはサブフレームの前記第２のセットの前記インジケーションは明示的なインジケーションである、
請求項１９に記載の方法。
【請求項２１】
サブフレームの前記第１のセットまたはサブフレームの前記第２のセットの前記インジケーションは暗黙的なインジケーションである、請求項１９に記載の方法。
【請求項２２】
サブフレームの前記第１のセットについての前記暗黙的なインジケーションは、前記ＵＥの識別情報、ＤＬ送信のサブフレームのインデックス、および前記受信されたＤＬ送信についての前記ＡＣＫ／ＮＡＣＫの送信に関連する遅延のうちの少なくとも１つの関数に基づく、および／または
サブフレームの前記第２のセットについての前記暗黙的なインジケーションは、前記少なくとも１つのＵＥの識別情報、ＵＬ送信のサブフレームのインデックス、および前記送信されたＵＬ送信についての前記ＡＣＫ／ＮＡＣＫの送信に関連する遅延のうちの少なくとも１つの関数に基づく、
請求項２１に記載の方法。
【請求項２３】
ワイヤレス通信のための装置であって、前記装置は、発展型ノードＢ（ｅＮＢ）であり、
少なくとも１つのユーザ機器（ＵＥ）に、
前記少なくとも１つのＵＥによって受信されたダウンリンク（ＤＬ）送信についての前記少なくとも１つのＵＥによる肯定応答（ＡＣＫ）／否定応答（ＮＡＣＫ）の送信に使用されることになる１つまたは複数のサブフレームの第１の構成、または、
前記少なくとも１つのＵＥによって送られたアップリンク（ＵＬ）送信についての前記少なくとも１つのＵＥによるＡＣＫ／ＮＡＣＫの受信に使用されることになる１つまたは複数のサブフレームの第２の構成、
のうちの少なくとも１つにおける変更を通知するための手段と、
ここにおいて、前記ＤＬ−ＵＬ送信構成は不変であり、
ここにおいて、前記通知することは、無線リソース制御（ＲＲＣ）構成メッセージを介するものである、
前記少なくとも１つのＵＥが前記受信されたＤＬ送信についての前記ＡＣＫ／ＮＡＣＫを送信することになるか、または送られたＵＬ送信についての前記ＡＣＫ／ＮＡＣＫを受信することになる１つまたは複数のサブフレームを前記少なくとも１つのＵＥに示すための手段と
を備える装置。
【請求項２４】
ワイヤレス通信のための装置であって、前記装置は、ユーザ機器（ＵＥ）であり、
前記ＵＥによって受信されたダウンリンク（ＤＬ）送信についての肯定応答（ＡＣＫ）／否定応答（ＮＡＣＫ）の送信に使用されることになる１つまたは複数のサブフレームの第１の構成、または、
前記ＵＥによって送られたアップリンク（ＵＬ）送信についてのＡＣＫ／ＮＡＣＫの受信に使用されることになる１つまたは複数のサブフレームの第２の構成、
のうちの少なくとも１つにおける変更の情報を発展型ノードＢ（ｅＮＢ）から受信するための手段と、
ここにおいて、前記ＤＬ−ＵＬ送信構成は不変であり、
ここにおいて、前記受信することは、無線リソース制御（ＲＲＣ）構成メッセージを介するものである、
前記受信されたＤＬ送信についての前記ＡＣＫ／ＮＡＣＫが送信されることになるか、または送られたＵＬ送信についての前記ＡＣＫ／ＮＡＣＫが受信されることになる１つまたは複数のサブフレームを備えるインジケーションを受信するための手段と
を備える装置。
【請求項２５】
発展型ノードＢ（ｅＮＢ）での使用のためのコンピュータ可読媒体であって、
ワイヤレス通信のためのコンピュータ実行可能なコードを記憶し、前記コンピュータ実行可能なコードは、本願請求項１の方法を実行するためのコードを備える、コンピュータ可読媒体。
【請求項２６】
ユーザ機器（ＵＥ）での使用のためのコンピュータ可読媒体であって、
ワイヤレス通信のためのコンピュータ実行可能なコードを記憶し、前記コンピュータ実行可能なコードは、本願請求項１２の方法を実行するためのコードを備える、コンピュータ可読媒体。